(57)【要約】【課題】  比較的安価に製作することができ且つ雨等に対する充分な耐久性を備えていることに加えて、遮光された領域の温度及び湿度を低下せしめて良好な涼感を与え、そして更に木陰による心地よさに匹敵する心地よさを与える日除け具（２）を提供する。【解決手段】  日除け具（２）は、遮光性表側シート（４）と遮光性裏側シート（６）とを含む。表側シート（４）には複数個の開口（１０）が配設されており、裏側シート（６）にも複数個の開口（１２）が配設されている。表側シート（４）の弛み状態と裏側シート（６）の弛み状態とは相互に異なっており、表側シート（４）の裏面と裏側シート（６）の表面の間には空隙（８）が存在する、【選択図】  図１
2014167223.tif 000002
【特許請求の範囲】
【請求項１】
遮光性表側シートと遮光性裏側シートとを含み、
該表側シートには複数個の開口が配設されており、該裏側シートにも複数個の開口が配設されており、
該表側シートの弛み状態と該裏側シートの弛み状態とは相互に異なっており、
該表側シートの裏面と該裏側シートの表面との間には空隙が存在する、
ことを特徴とする日除け具。
【請求項２】
該表側シートの片端縁部と該裏側シートの片端縁部とが相互に連結されていると共に、該表側シートの他端縁部と該裏側シートの他端縁部とが相互に連結されており、該裏側シートの該片端縁部から該他端縁部までの長さは該表側シートの該片端縁部から該他端縁部までの長さよりも長く、相互に連結された該片端縁部及び該他端縁部を除いて該裏側シートの表面は該表側シートの裏面から離隔されており、裏側シートの弛みは該表側シートの弛みよりも大きい、請求項１記載の日除け具。
【請求項３】
該裏側シートはＪＩＳ  Ｌ  １０９６  ８．２１．１  Ａ法  （４５°カンチレバー法）試験で２０乃至６０ｍｍである柔軟性を有する、請求項２記載の日除け具。
【請求項４】
該表側シートにおける該開口の配設パターンと該裏側シートにおける該開口の配設パターンとは相互に異なる、請求項１から３までのいずれかに記載の日除け具。
【請求項５】
該表側シートの開口率は１５乃至２５％であり、該裏側シートの開口率は５乃至１０％である、請求項１から４までのいずれかに記載の日除け具。
【発明の詳細な説明】
【技術分野】
【０００１】
本発明は、それに限定されるものではないが特に個別住宅或いは集合住宅における使用に好適である日除け具に関する。
【背景技術】
【０００２】
周知の如く、暑さ対策のために直射日光を遮る日除け具として、細い葦或いは竹を糸で編み列ねた簾が古くから使用されている。また、下記特許文献１及び２に開示されている如く、シェードスクリーンとも称されている合成樹脂製遮光シートから形成された日除け具も広く実用に供されている。
【先行技術文献】
【特許文献】
【０００３】
【特許文献１】特開２０００−９６８７７号公報
【特許文献２】特開２００６−１６９８３５号公報
【発明の概要】
【発明が解決しようとする課題】
【０００４】
而して、古来から使用されている簾には、製作コストが高価である、雨等に対する耐久性が低く比較的短期間のうちに損傷されてしまう、等の問題がある。また、合成樹脂製遮光シートから形成された日除け具には、直射日光によって加熱された遮光性シート自体から輻射熱が放射される等に起因して、遮光された領域における充分な温度低減が実現されず、良好な涼感を得ることができない、等の問題がある。
【０００５】
本発明は上記事実に鑑みてなされたものであり、その主たる技術的課題は、比較的安価に製作することができ且つ雨等に対する充分な耐久性を備えていることに加えて、遮光された領域の温度及び湿度を低下せしめて良好な涼感を与え、そして更に木陰による心地よさに匹敵する心地よさを与える、新規且つ改良された日除け具を提供することである。
【課題を解決するための手段】
【０００６】
本発明者等は鋭意研究及び実験の結果、複数個の開口が配設された２枚の遮光性シートを、両者間に空隙を生成して且つ両者の弛み状態を相互に異ならして配設することによって、上記主たる技術的課題を達成することができることを見出した。
【０００７】
即ち、本発明によれば、上記主たる技術的課題を達成する日除け具として、
遮光性表側シートと遮光性裏側シートとを含み、
該表側シートには複数個の開口が配設されており、該裏側シートにも複数個の開口が配設されており、
該表側シートの弛み状態と該裏側シートの弛み状態とは相互に異なっており、
該表側シートの裏面と該裏側シートの表面との間には空隙が存在する、
ことを特徴とする日除け具が提供される。
【０００８】
該表側シートの片端縁部と該裏側シートの片端縁部とが相互に連結されていると共に、該表側シートの他端縁部と該裏側シートの他端縁部とが相互に連結されており、該裏側シートの該片端縁部から該他端縁部までの長さは該表側シートの該片端縁部から該他端縁部までの長さよりも長く、相互に連結された該片端縁部及び該他端縁部を除いて該裏側シートの表面は該表側シートの裏面から離隔されており、裏側シートの弛みは該表側シートの弛みよりも大きいのが好適である。該裏側シートはＪＩＳ  Ｌ  １０９６  ８．２１．１  Ａ法  （４５°カンチレバー法）試験で２０乃至６０ｍｍである柔軟性を有するのが好都合である。該表側シートにおける該開口の配設パターンと該裏側シートにおける該開口の配設パターンとは相互に異なるのが好ましい。好適には、該表側シートの開口率は１５乃至２５％であり、該裏側シートの開口率は５乃至１０％である。
【発明の効果】
【０００９】
本発明の日除け具は複数個の開口が配設された２枚の遮光性シートを適宜に組み合わせることによって充分安価に製作することができるにも拘わらず、雨等に対する充分な耐久性を備えると共に、後述する実施例及び比較例からも首肯される如く、遮光性シートに形成されている開口を通して通気されることに起因して、遮光領域の温度及び湿度を低減せしめて良好な涼感を与える。加えて、２枚の遮光性シートの弛み状態が相互に異なっている故に、風に起因する２枚の遮光性シートの揺動状態が相互に異なり、これに起因して遮光性シートに配設されている開口を通して遮光領域に到達する光が自然の木漏れ日の如くに揺らぎ、木陰による心地よさに匹敵する心地よさを与える。
【図面の簡単な説明】
【００１０】
【図１】本発明に従って構成された日除け具の好適実施形態を示す斜面図。
【図２】図１に示す日除け具の側面図。
【図３】図１に示す日除け具における表側シート及び／又は裏側シートに配設することができる開口パターンを示す平面図。
【図４】図１に示す日除け具における表側シート及び／又は裏側シートに配設することができる他の開口パターンを示す平面図。
【図５】実施例及び比較例の測定結果を示す線図。
【発明を実施するための形態】
【００１１】
以下、本発明に従って構成された日除け具の好適実施形態を示す添付図面を参照して、更に詳述する。
【００１２】
図１及び図２を参照して説明すると、全体を番号２で示す、本発明に従って構成された図示の日除け具は、遮光性表側シート４と遮光性裏側シート６とから構成されている。表側シート４は、ターポリンシート（補強用合成繊維を合成樹脂シート片等で挟み込んだシート）、合成繊維製織物、編物及び合成樹脂製シートの如き適宜のシート材から形成することができる。裏側シート６も、同様に、ターポリンシート（補強用合成繊維を合成樹脂シート片等で挟み込んだシート）、合成繊維製織物、編物及び合成樹脂製シートの如き適宜のシート材から形成することができる。後に更に言及する如く、特に裏側シート６は風によって揺らぐことが重要であり、それ故にＪＩＳ  Ｌ  １０９６  ８．２１．１  Ａ法  （４５°カンチレバー法）試験で２０乃至６０ｍｍである柔軟性を有することが好ましい。表側シート４も裏側シート６と同様に、ＪＩＳ  Ｌ  １０９６  ８．２１．１  Ａ法  （４５°カンチレバー法）試験で２０乃至６０ｍｍである柔軟性を有することができる。また、表側シート４及び裏側シート６は共に５０乃至１００％程度の遮光率を有することが望ましい。
【００１３】
図２を参照することによって明確に理解されるとおり、図示の実施形態においては、表側シート４の片端縁部(図１及び図２において上端縁部)と裏側シート６の片端縁部(図１及び図２において上端縁部)とは、例えば接着剤で接合することによって、相互に連結されており、同様に表側シート４の他端縁部(図１及び図２において下端縁部)と裏側シート６の他端縁部(図１及び図２において下端縁部)とは、例えば接着剤で接合することによって、相互に連結されている。表側シート４における片端縁部から他端縁部までの長さＬ１は裏側シート６における片端縁部から他端縁部までの長さＬ２よりも短く設定されている（Ｌ１＜Ｌ２）。従って、表側シート４と裏側シート６との弛み状態は必然的に相互に異なることになり、図１及び図２に図示する如く、表側シート４を実質上弛みがない状態に張設すると、裏側シート６は自重によって弛んだ状態になり、相互に連結された片端縁部及び他端縁部を除いて裏側シート６の表面は表側シート４の裏面から離隔し、両者間には空隙８が存在する。
【００１４】
表側シート４及び裏側シート６の各々には複数個の開口１０及び１２が配設されていることが重要である。開口１０及び１２には適宜の形状でよいが、本発明者等の経験によれば、所謂木陰の心地よさに近似した心地よさを享受するためには、開口パターンはフラクタル形状パターン、例えばシェルピンスキーのギャスケットと称されている図３に示すとおりの開口パターン或いはシェルピンスキーのカーペットと称されている図４に示すとおりの開口パターンであるのが好適である。そして、通風による冷却効果、遮光領域に到達する適宜の日光量、日溜りの心地良い揺らぎ等の点から、表側シート４の開口率は１５乃至２５％程度で、裏側シート６の開口率は５乃至１０％程度であるのが好都合である。表側シート４に配設する開口パターンと裏側シート６に配設する開口パタ−ンとは同一でもよいが、本発明者等の経験によれば日溜りの心地よい揺らぎ等の点から、表側シート４に配設する開口パターンと裏側シート６に配設する開口パタ−ンとを相互に異なるものにせしめるのが望ましい。
【００１５】
上述したとおりの日除け具２は、例えば、個別住宅における窓の外側に庇の如くに装着し、或いは集合住宅のベランダに窓を覆うように立設して、使用することができる。この場合、表側シート４の表面を外側に向けて、換言すれば表側シート４の表面に日光が照射されるようにせしめて配設し、裏側シート６の下方乃至後方に遮光領域を生成せしめる。そして、好適には、図１及び図２に図示する如く、表側シート４は実質上弛みがない状態に張設し、裏側シート６には自重に起因して緩やかな弛みが生成されるようにせしめる。日光は表側シート４に配設されている開口１０及び裏側シート６に配設されている開口１２を通して遮光領域に達し、遮光領域に複数個の木漏れ日の如き日溜りを生成する。裏側シート６は緩やかな弛みを有する状態に設定されており、そしてまた裏側シート６は適宜の柔軟性を備えている故に、風によって裏側シート６は適宜に揺らぎ、かくすると裏側シート６に配設されている開口１２も適宜に揺らぎ、複数個の木漏れ日の如き日溜りも適宜に揺らぎ、使用者は自然の木陰に近似した心地よさを享受することができる。
【００１６】
（実施例）
東京都中央区明石町８番１号所在のダイオ化成株式会社から商品名「ウェーブロック」として販売されているターポリンシート材（ポリエステル繊維をポリ塩化ビニルシート片で挟み込んだシート材）から表側シートと裏側シ−トとを作成し、表側シートの片端縁部及び他端縁部を夫々裏側シートの片端縁部及び他端縁部に市販の接着剤によって接着して図１及び図２に図示するとおりの形態の日除け具を製作した。シート材はＪＩＳ  Ｌ  １０９６  ８．２１．１  Ａ法  （４５°カンチレバー法）試験で４５ｍｍの柔軟性を有していた。表側シートの全長は１８００ｍｍで、裏側シートの全長は２４００ｍｍで、片端縁部及び他端縁部の接着幅は１０ｍｍであった。表側シート及び裏側シートの幅は共に１２００ｍｍであった。表側シートには図３に図示するとおりの開口パターンを適宜に分散せしめて配設し、裏側シートには図４に図示するとおりの開口パターンを適宜に分散せしめて配設した。表側シートの開口率は略２０％で、裏側シートの開口率は略７％であった。
【００１７】
上記日除け具を、その片端縁部に幅方向に間隔をおいて４本の懸架ロープを締結し、その他端縁部に固定ロープを締結して、神奈川県横須賀市野比１丁目４９番１号所在の庭地に、表側シートの表面を東に向けて且つ表側シートが実質上弛みなく下方に向かって東側に水平に対して６０度の傾斜角度で傾斜するように懸架し、緩やかに弛む裏側シートの下方乃至後方に日陰が生成されるようにした。そして、晴天であった平成２４年９月２４日の１０：００時、１１：００時、１２：００時、１３：００時、１４：００時及び１５：００時に、夫々、外気温度、日除け具の表側シートの表面温度、日除け具の表側シートと裏側シートとの間の空隙温度、裏側シートの下方乃至後方の日陰温度、外気湿度、及び日陰湿度を測定した。加えて、下記のミスナールの計算式に基いて、日陰温度及び日陰湿度から日陰体感温度を求めた。その結果は、下記表１及び図５に示すとおりであった。
【式１】
【００１８】
2014167223.tif 000003
【００１９】
（比較例）
開口が配設されていない単一シート（表側シート）のみから日除け具を構成しことを除いて、実施例と同様にして、晴天であった平成２４年９月２４日の１０：００時、１１：００時、１２：００時、１３：００時、１４：００時及び１５：００時に、夫々、外気温度、日除け具の表面温度、日除け具の下方乃至後方の日陰温度、外気湿度及び日陰湿度を測定した。加えて、ミスナールの計算式に基いて、日陰温度及び日陰湿度から日陰体感温度を求めた。その結果は、下記表１及び図５に示すとおりであった。
【００２０】
【表１】
2014167223.tif 000004
【符号の説明】
【００２１】
２：日除け具
４：表側シート
６：裏側シート
８：空隙
１０：開口
１２：開口
【図１】
2014167223.tif 000005
【図２】
2014167223.tif 000006
【図３】
2014167223.tif 000007
【図４】
2014167223.tif 000008
【図５】
2014167223.tif 000009